(57)【要約】【課題】  ナースコール子機がセッティング不良であった場合に、できるだけセッティングを行った医療従事者のみを呼び出す。【解決手段】  患者の動作を検出するセンサ部５とセンサ部５が動いた際の加速度を検出する加速度センサとをナースコール子機１に設け、セッティングした医療従事者を登録する登録装置３をナースコール子機１の近傍に設置する。医療従事者を登録した時点から所定時間が経過するまでに加速度が検出されると、医療従事者が患者とセンサ部５との間に殆どゆとりを持たせずにセッティングしてしまい、患者が自身の体の一部を少し動かしただけでセンサ部５にぶつかってセンサ部５が動いたと判断されるので、セッティング不良でセンサ部５が動いたと判断されて、セッティングした医療従事者の携帯通信端末２０が呼び出される。また、所定時間が経過した後に加速度が検出されると、任意の医療従事者の携帯通信端末２０が呼び出される。【選択図】        図２
2012050470.tif 000002
【特許請求の範囲】
【請求項１】
医療従事者によりそれぞれ携行され、前記医療従事者に呼び出しを報知する携帯通信端末と、
前記医療従事者を呼び出すための患者の動作を検出するセンサ部と、前記センサ部が動いたことを検出する動きセンサ部と、前記センサ部が前記患者の動作を検出した場合に呼出信号を生成し、前記センサ部が動いたことを前記動きセンサ部にて検出した場合に動き検出信号を生成する子機用制御部と、前記子機用制御部にて生成された呼出信号および動き検出信号を出力する子機用インターフェース部とを有するナースコール子機と、
前記ナースコール子機の近傍に設置され、前記ナースコール子機をセッティングした際に、そのセッティングを行った医療従事者の医療従事者識別情報を登録するための登録装置と、
時間を計測するタイマー部と、前記ナースコール子機から出力された呼出信号および動き検出信号を入力するインターフェース部と、前記携帯通信端末を他の携帯通信端末と識別するための端末識別情報および前記端末識別情報により特定される携帯通信端末を携行している医療従事者の医療従事者識別情報を予め関連付けて記憶する記憶部と、前記インターフェース部が呼出信号を入力した場合に、任意の医療従事者が携行している携帯通信端末を呼び出し、前記登録装置にて医療従事者識別情報が登録された場合に、前記タイマー部を動作させて、前記タイマー部が計測した時間が所定時間に達するまでに前記インターフェース部が動き検出信号を入力した場合に、前記登録装置にて登録された医療従事者識別情報に関連付けて前記記憶部に記憶されている端末識別情報により特定される携帯通信端末を呼び出す制御部とを有するナースコール親機と、
を備えたことを特徴とするナースコールシステム。
【発明の詳細な説明】
【技術分野】
【０００１】
本発明は、病院などで患者からの要求に応じて医師や看護師などの医療従事者を呼び出すナースコールシステムに関し、特に患者の動作を検出する検出センサによって呼び出しを行うためのナースコールシステムに関する。
【背景技術】
【０００２】
従来、病院などでは、ナースコールシステムが用いられている。ナースコールシステムは、病室内の患者の近辺（例えば、ベッド近傍など）に設置されたナースコール子機および医療従事者の居る部屋（例えば、スタッフルームなど）に設置されたナースコール親機を有線などにより接続して構成されている。また、ナースコール親機によっては、医療従事者が携行している携帯通信端末（例えば、ＰＨＳ（Ｐｅｒｓｏｎａｌ  Ｈａｎｄｙｐｈｏｎｅ  Ｓｙｓｔｅｍ）やコードレス電話など）を無線によって接続するものも存在する。そして、患者によりナースコール子機が操作されると、ナースコール親機や携帯通信端末は、自装置に設けられた報知部を動作させて、スピーカから呼び出し音を出力させたり、表示ディスプレイなどに呼び出し表示を行わせたりして、呼び出しを報知している。医療従事者は、呼び出し音を聞いたり、呼び出し表示を見たりして、患者からの呼び出しを把握する。
【０００３】
通常、ナースコール子機は、医療従事者を呼び出すための呼出ボタンを備えている。患者が呼出ボタンを押下すると、ナースコール子機は、ナースコール親機や携帯通信端末に対して呼出動作を行うようにしている。
【０００４】
ところで、患者の中には、呼出ボタンを操作できる程度に自身の手足を動かすことができない患者も居る。そのような患者は、呼出ボタンを操作して医療従事者を呼び出すことができないという問題があった。
【０００５】
このような問題を解決するために、音声を検出するマイクや患者の体の一部が接触したことを検出する接触センサなどの検出センサを使用して呼び出しを行う技術が知られている（例えば、特許文献１など）。特許文献１に記載のナースコール子機は、フレキシブルアームなどで本体とマイクや接触センサなどの検出センサを設けたセンサ部とを接続している。医療従事者などは、患者の居るベッドなどに本体を設置した後にフレキシブルアームを動かして患者に対して適切な位置にセンサ部を配置してナースコール子機をセッティングしている。ここで、マイクは患者の口元に配置され、接触センサは患者の体の一部（例えば、顔など）の近傍に配置される。そして、特許文献１に記載のナースコール子機は、マイクが患者の声や患者の呼気に伴う音を集音した場合または接触センサが人体の接触を検出した場合に、医療従事者に対して呼び出しを行うための呼出信号を出力するようにしている。これにより、患者は、呼出ボタンを操作できなくても、医療従事者を呼び出すことができる。
【０００６】
このような、特許文献１に記載の技術を従来のナースコールシステムに適用した場合、患者による医療従事者を呼び出すための動作をセンサ部が検出するには、患者とセンサ部との間にある程度のゆとりを持たせるようにしてナースコール子機をセッティングする必要があった。これは、患者とセンサ部との間にある程度のゆとりを持たせていないと、患者が自身の体の一部を少し動かしただけでも、患者の体の一部がセンサ部にぶつかってしまい、その勢いでセンサ部が動き、センサ部の位置がずれてしまうからである。このように、センサ部の位置がずれてしまうと、患者が医療従事者を呼び出せなくなる可能性が高くなってしまうという問題があった。
【０００７】
ところで、携帯電話などの携帯電子機器の落下を検出した場合に、落下を知らせる技術が知られている（例えば、特許文献２など）。特許文献２に記載の携帯電子機器は、自装置が落下したことによって生じた加速度を検出した場合に、落下したことを報知するようにしている。
【０００８】
このような、特許文献２に記載の技術を前述の従来技術に適用すると、センサ部に加速度センサを設けることで、患者の体の一部がセンサ部にぶつかった勢いでセンサ部が動いた際にセンサ部に生じた加速度を加速度センサにて検出した場合に、ナースコール親機は、センサ部の位置がずれたことを報知することができる。
【０００９】
ところで、患者とセンサ部との間にある程度のゆとりを持たせないようにして医療従事者がナースコール子機をセッティングしてしまった場合、ナースコール子機がセッティング不良であったと言える。セッティング不良が見つかった場合、ナースコール子機をセッティングした医療従事者本人がナースコール子機を再度セッティングし直すべきである。また、ナースコール子機がセッティング不良であった場合には、ナースコール子機がセッティングされた直後に患者の体の一部がセンサ部にぶつかる可能性が高いと考えられる。これは、患者とセンサ部との間に全くゆとりがなく、患者が自身の体の一部を少し動かしただけで患者の体の一部がセンサ部にぶつかってしまうからであり、しかも、患者が自身の体を全く動かさないことは困難であると考えられるからである。
【００１０】
ところで、この従来技術では、加速度センサがセンサ部に生じた加速度を検出した場合、報知が行われるだけである。そのため、ナースコール子機がセッティング不良で、患者の体の一部がセンサ部にぶつかってセンサ部の位置がずれた場合でも、ナースコール子機が適切な位置にセッティングされていて、患者などがセンサ部にぶつかってセンサ部の位置がずれた場合でも同様に報知が行われてしまうという問題があった。従って、報知が行われると、ナースコール子機がセッティング不良であった場合でも、セッティングを行っていない医療従事者が応答することがあった。
【先行技術文献】
【特許文献】
【００１１】
【特許文献１】特開２００５−１５２０４６号公報
【特許文献２】特開平１１−２９６７６５号公報
【発明の概要】
【発明が解決しようとする課題】
【００１２】
本発明は、このような問題を解決するために成されたものであり、ナースコール子機がセッティング不良であった場合に、できるだけそのナースコール子機をセッティングした医療従事者のみを呼び出すことができるようにすることを目的とする。
【課題を解決するための手段】
【００１３】
上述した課題を解決するために、本発明のナースコールシステムでは、医療従事者を呼び出すための患者の動作を検出するセンサ部とそのセンサ部が動いたことを検出する動きセンサ部とをナースコール子機に設け、ナースコール子機をセッティングした際に、セッティングを行った医療従事者の医療従事者識別情報を登録するための登録装置をナースコール子機の近傍に設置する。そして、登録装置にて医療従事者識別情報が登録された時点から所定時間が経過するまでに、センサ部が動いたことを動きセンサ部にて検出した場合に、登録装置にて登録された医療従事者識別情報により特定される医療従事者が携行している携帯通信端末を呼び出すようにしている。
【発明の効果】
【００１４】
上記のように構成した本発明によれば、登録装置にて医療従事者識別情報が登録された時点から所定時間が経過するまでに、センサ部が動いたことを動きセンサ部にて検出した場合には、セッティングを担当した医療従事者が患者とセンサ部との間に殆どゆとりを持たせずにナースコール子機をセッティングしてしまい、患者が自身の体の一部を少し動かしただけで患者の体の一部がセンサ部にぶつかってセンサ部が動いたものであると判断されるので、ナースコール子機のセッティング不良によりセンサ部が動いたものと判断されて、ナースコール子機のセッティングを行った医療従事者が携行している携帯通信端末が呼び出される。これにより、ナースコール子機がセッティング不良であった場合に、できるだけそのナースコール子機をセッティングした医療従事者のみを呼び出すようにすることができる。一方、登録装置にて医療従事者識別情報が登録された時点から所定時間が経過してから、センサ部が動いたことを動きセンサ部にて検出した場合には、ナースコール子機が適切な位置にセッティングされていたにも関わらず、患者などがセンサ部にぶつかってセンサ部の位置がずれたものであると判断されるので、携帯通信端末を携行している医療従事者のうち、任意の医療従事者が携行している携帯通信端末が呼び出される。これにより、ナースコール子機が適切な位置にセッティングされている場合に、任意の医療従事者を呼び出すようにすることができる。
【図面の簡単な説明】
【００１５】
【図１】本実施形態によるナースコールシステムの構成例を示すブロック図である。
【図２】本実施形態によるナースコールシステムを適用した病室における各構成要素の配置例を示す説明図である。
【発明を実施するための形態】
【００１６】
以下、本発明の一実施形態を図面に基づいて説明する。本実施形態によるナースコールシステムの構成例を示すブロック図を図１に示す。同図に示すように、本実施形態によるナースコールシステムは、ナースコール子機１、ＩＣ（Ｉｎｔｅｇｒａｔｅｄ  Ｃｉｒｃｕｉｔ）タグ２、登録装置３、ナースコール親機１０、携帯通信端末２０を備えて構成されている。
【００１７】
図１において、ナースコール子機１は、患者が医療従事者を呼び出すためのものである。ここで、ナースコール子機１の筐体は、病室内の各患者の近辺（例えば、ベッド近傍など）にそれぞれ設置されている。また、ナースコール子機１に通話機能が搭載されている場合には、ナースコール子機１とナースコール親機１０または携帯通信端末２０との間で通話を行うことができる。これにより、患者は、呼び出しに応答した医療従事者と会話することができる。
【００１８】
また、ナースコール子機１は、子機用制御部４、センサ部５、加速度センサ（特許請求の範囲の動きセンサ部に該当する）６、子機用インターフェース（以下、Ｉ／Ｆとする）部７を備えて構成されている。
【００１９】
ＩＣタグ２は、ナースコール子機１のセンサ部５の位置を調整する医療従事者により携行されるものであり、その医療従事者を他の医療従事者と識別するための医療従事者識別情報を記憶している。
【００２０】
登録装置３は、ナースコール子機１をセッティングした際に、そのセッティングを行った医療従事者の医療従事者識別情報を登録するためのものである。ここで、登録装置３は、ナースコール子機１の近傍に設置され、ＩＣタグリーダーなどにより構成されている。センサ部５の位置を調整した医療従事者が登録装置３にＩＣタグ２をかざすと、登録装置３は、そのＩＣタグ２に記憶されている医療従事者識別情報を読み取り、自装置を他の登録装置３と識別するための登録装置識別情報とともに医療従事者識別情報をナースコール親機１０へ出力する。
【００２１】
ナースコール親機１０は、医療従事者の居る部屋（例えば、スタッフルームなど）に設置されており、患者からの呼び出しを医療従事者に報知したり、ナースコール子機１のセンサ部５が患者に対して適切な位置からずれたことを医療従事者に報知したりする。また、ナースコール親機１０は、医療従事者が患者からの呼び出しに対して応答したり、ナースコール子機１のセンサ部５が患者に対して適切な位置からずれたことを知らせるための報知を停止したりするために使用される。ここで、ナースコール親機１０とナースコール子機１との間には、制御機および廊下灯（ともに図示せず）が設置されている。制御機は、ナースコール子機１とナースコール親機１０との間の通信を制御する。また、廊下灯は、自装置に設けた表示灯を点灯または点滅させて患者からの呼び出しを医療従事者に報知する。
【００２２】
また、ナースコール親機１０は、制御部１１、インターフェース（以下、Ｉ／Ｆとする）部１２、記憶部１３、タイマー部１４、報知部１５、復旧操作部１６を備えて構成されている。
【００２３】
携帯通信端末２０は、例えば、ＰＨＳやコードレス電話などであり、ＩＣタグ２を携行している医療従事者とＩＣタグ２を携行していない医療従事者とによりそれぞれ携行されており、患者からの呼び出しを医療従事者に報知したり、ナースコール子機１のセンサ部５が患者に対して適切な位置からずれたことを医療従事者に報知したりする。ここで、各携帯通信端末２０には、自装置を他の携帯通信端末２０と識別するための端末識別情報（例えば、端末番号など）が割り振られている。また、ナースコール親機１０と携帯通信端末２０とを接続するために、中継装置としてＰＢＸ（Ｐｒｉｖａｔｅ  Ｂｒａｎｃｈ  ｅＸｃｈａｎｇｅ、図示せず）が用いられる。また、携帯通信端末２０と中継装置とを無線にて接続するための無線基地局（図示せず）が病院内の各所に分散して配置されている。携帯通信端末２０は、無線通信可能となった無線基地局と接続される。
【００２４】
また、携帯通信端末２０は、端末用制御部２１、無線通信部２２、端末用報知部２３、端末用復旧操作部２４を備えて構成されている。
【００２５】
図２は、本実施形態によるナースコールシステムを適用した病室における各構成要素の配置例を示す図である。同図に示すように、病室には、患者が使用するベッドが設置されている。また、ベッドには、ナースコール子機１が設置されている。また、ナースコール子機１の近傍には登録装置３が設置されている。また、センサ部５の位置を調整する医療従事者はＩＣタグ２および携帯通信端末２０を携行している。また、廊下に居る医療従事者は、センサ部５の位置の調整を行わないため、携帯通信端末２０のみを携行している。
【００２６】
ナースコール子機１の子機用制御部４は、ＣＰＵ（Ｃｅｎｔｒａｌ  Ｐｒｏｃｅｓｓｉｎｇ  Ｕｎｉｔ）などにより構成されており、ナースコール子機１の各構成要素を後述するように制御する。
【００２７】
センサ部５は、マイクや接触センサなどの検出センサにより構成されており、医療従事者を呼び出すための患者の動作（以下、患者の動作とする）を検出する。ここで、センサ部５が患者の動作を検出すると、子機用制御部４は、医療従事者に対して呼び出しを行うための呼出信号を生成する。また、呼出信号は、自装置を他のナースコール子機１と識別するための子機識別情報（例えば、子機番号など）を含む。また、センサ部５が患者の動作を検出して子機用制御部４が呼出信号を生成すると、ナースコール親機１０や携帯通信端末２０で復旧操作が行われるまで、センサ部５が患者の動作を検出しても、子機用制御部４は呼出信号を生成しなくなる。
【００２８】
また、センサ部５は、ナースコール子機１の筐体とは別体で設けられており、周知のナースコール子機に設けられている呼出ボタンを操作できる程度に自身の手を動かすことができない患者に対して使用される。そのため、センサ部５は、患者に対して適切な位置に配置される必要がある。また、患者に対して適切な位置とは、センサ部５がマイクにより構成されている場合には、患者が自身の体の一部を少し動かしただけでは患者の体の一部がセンサ部５にぶつからない位置であり、かつ、患者が発した声や患者が吹きかけた息を検出することができる位置である。また、センサ部５が接触センサにより構成されている場合には、患者が自身の体の一部を少し動かしただけでは患者の体の一部がセンサ部５にぶつからない位置であり、かつ、患者が意図的に自身の体の一部を動かしたことを検出することができる位置である。例えば、センサ部５がマイクにより構成されている場合、センサ部５は患者の口元に配置され、センサ部５が接触センサにより構成されている場合、センサ部５は患者の顔などの近傍に配置される。
【００２９】
加速度センサ６は、加速度を検出するためのものであり、センサ部５が設けられている筐体に内蔵されている。また、加速度センサ６は、センサ部５が設けられている筐体に内蔵されているので、センサ部５が動いた際に生じる加速度を検出することができる。また、加速度センサ６の構造や加速度センサ６による加速度の検出方法は、周知の技術を用いる。また、加速度センサ６が所定の加速度以上の加速度を検出すると、子機用制御部４は、動き検出信号を生成する。ここで、所定の加速度とは、患者が自身の体の一部を動かして患者の体の一部がセンサ部５にぶつかった場合、または、患者以外の人（例えば、見舞い人など）の体の一部がセンサ部５にぶつかった場合に、ぶつかった勢いにより生じるであろうセンサ部５の動きのしきい値である。また、動き検出信号は子機識別情報を含む。
【００３０】
子機用Ｉ／Ｆ部７は、ナースコール子機１にナースコール親機１０を接続している。ここで、子機用Ｉ／Ｆ部７は、子機用制御部４にて生成した呼出信号や動き検出信号をナースコール親機１０へ出力する。また、子機用Ｉ／Ｆ部７は、ナースコール親機１０から出力された復旧信号を入力する。ここで、復旧信号とは、ナースコール子機１をセンサ部５が患者の動作を検出する前の状態に戻すための信号である。子機用Ｉ／Ｆ部７が復旧信号を入力した場合、子機用制御部４は、センサ部５が患者の動作を検出する前の状態にナースコール子機１を戻す。
【００３１】
ナースコール親機１０の制御部１１は、ＣＰＵなどにより構成されており、ナースコール親機１０の各構成要素を後述するように制御する。Ｉ／Ｆ部１２は、ナースコール親機１０にナースコール子機１、登録装置３を接続している。また、Ｉ／Ｆ部１２は、ナースコール親機１０が携帯通信端末２０と通信するために無線基地局と無線により通信を行う。また、Ｉ／Ｆ部１２は、ナースコール子機１から出力された呼出信号や動き検出信号を入力し、登録装置３から出力された登録装置識別情報および医療従事者識別情報を入力して、携帯通信端末２０から送信された復旧信号を受信する。また、Ｉ／Ｆ部１２は、携帯通信端末２０から受信した復旧信号をナースコール子機１へ出力する。また、Ｉ／Ｆ部１２は、自装置が生成した制御信号や復旧信号を携帯通信端末２０へ送信する。また、Ｉ／Ｆ部１２は、自装置が生成した復旧信号をナースコール子機１へ出力する。ここで、制御信号とは、携帯通信端末２０による報知を開始させるための信号である。また、携帯通信端末２０へ送信する制御信号は、呼出信号または動き検出信号を出力したナースコール子機１の子機識別情報を含む。また、携帯通信端末２０から送信された復旧信号は、本信号を送信した携帯通信端末２０の端末識別情報を含む。
【００３２】
記憶部１３は、メモリなどの記憶装置により構成されている。また、記憶部１３は、携帯通信端末２０の端末識別情報およびこの携帯通信端末２０を携行している医療従事者の医療従事者識別情報を予め関連付けて記憶している。また、記憶部１３は、ナースコール子機１の子機識別情報およびこのナースコール子機１の近傍に設置されている登録装置３の登録装置識別情報を予め関連付けて記憶している。また、記憶部１３は、ナースコール子機１の子機識別情報およびこのナースコール子機１からの呼び出しに対して報知を行う任意の携帯通信端末２０の端末識別情報を予め関連付けて記憶している。
【００３３】
タイマー部１４は時間を計測するためのものである。報知部１５は、患者からの呼び出しを医療従事者に報知したり、ナースコール子機１のセンサ部５が患者に対して適切な位置からずれたことを医療従事者に報知したりするためのものである。また、報知部１５は、スピーカや表示ディスプレイ、表示灯などにより構成されており、スピーカから呼び出し音や音声を出力したり、表示ディスプレイに呼び出し表示を行ったり、表示灯を点灯または点滅したりして報知を行う。また、報知部１５は、報知パターンを異ならせて患者からの呼び出し（以下、第一の呼び出しとする）およびナースコール子機１のセンサ部５が患者に対して適切な位置からずれたことを知らせるための呼び出し（以下、第二の呼び出しとする）を区別して報知する。復旧操作部１６は、ボタンなどにより構成されており、呼び出しを行ったナースコール子機１を再び呼び出しを行うことができる状態に戻したり、ナースコール親機１０および携帯通信端末２０による報知を停止したりするために操作される。
【００３４】
制御部１１は、Ｉ／Ｆ部１２がナースコール子機１から出力された呼出信号を入力したか否かを判定する処理と、Ｉ／Ｆ部１２が登録装置３から出力された登録装置識別情報および医療従事者識別情報を入力したか否かを判定する処理と、Ｉ／Ｆ部１２がナースコール子機１から出力された動き検出信号を入力したか否かを判定する処理とを常に実行している。
【００３５】
（１）センサ部５が患者の動作を検出した場合
Ｉ／Ｆ部１２が呼出信号を入力したと制御部１１にて判断するので、制御部１１は報知部１５を動作させて、報知部１５は第一の呼び出しパターンで報知を行う。それに併せて、制御部１１は、Ｉ／Ｆ部１２が入力した呼出信号に含まれている子機識別情報を抽出する。また、制御部１１は、記憶部１３を参照し、抽出した子機識別情報に関連付けて記憶されている端末識別情報を取得するとともに、制御信号を生成する。ここで、制御部１１にて生成した制御信号は、呼び出しが第一の呼び出しであることを示す情報を含む。そして、Ｉ／Ｆ部１２は、制御部１１にて取得した端末識別情報により特定される任意の携帯通信端末２０へ制御部１１にて生成した制御信号を送信する。
【００３６】
（２）登録装置３にて医療従事者識別情報が登録された場合
Ｉ／Ｆ部１２が登録装置識別情報および医療従事者識別情報を入力したと制御部１１にて判断するので、制御部１１はタイマー部１４を動作させ、タイマー部１４は時間の計測を開始する。ここで、制御部１１は、タイマー部１４にて計測した時間が予め設定しておいた所定時間に達したと判断した場合に、タイマー部１４の動作を停止させる。
【００３７】
（３）加速度センサ６が加速度を検出した場合
Ｉ／Ｆ部１２が動き検出信号を入力したと制御部１１にて判断するので、制御部１１は、動き検出信号に含まれている子機識別情報に関連付けて記憶部１３に記憶されている登録装置識別情報をＩ／Ｆ部１２にて入力したか否かを判定する。また、動き検出信号に含まれている子機識別情報に関連付けて記憶部１３に記憶されている登録装置識別情報をＩ／Ｆ部１２にて入力したと制御部１１にて判断した場合に、制御部１１は、タイマー部１４にて計測した時間が予め設定しておいた所定時間に達したか否かを判定する。ここで、所定時間とは、患者が身動きせずに居られる時間である。
【００３８】
（４）動き検出信号を入力したナースコール子機１の近傍に設置された登録装置３が医療従事者識別情報を登録した時点から所定時間が経過していない場合
Ｉ／Ｆ部１２が動き検出信号を入力した場合に、その時点で動き検出信号を出力したナースコール子機１の近傍に設置された登録装置３が医療従事者識別情報を登録した時点から所定時間が経過していない（換言すると、タイマー部１４が計測した時間が所定時間に達していない）ので、制御部１１は、記憶部１３を参照し、上述した（２）の処理にてＩ／Ｆ部１２が入力した医療従事者識別情報に関連付けて記憶されている端末識別情報を取得するとともに、制御信号を生成する。ここで、制御部１１が生成する制御信号は、呼び出しが第二の呼び出しであることを示す情報を含む。そして、Ｉ／Ｆ部１２は、制御部１１にて取得した端末識別情報により特定される携帯通信端末２０へ制御部１１にて生成した制御信号を送信する。
【００３９】
（５）動き検出信号を出力したナースコール子機１の近傍に設置された登録装置３が医療従事者識別情報を登録した時点から所定時間が経過した場合
Ｉ／Ｆ部１２が動き検出信号を入力した場合に、その時点で動き検出信号を出力したナースコール子機１の近傍に設置された登録装置３が医療従事者識別情報を登録した時点から所定時間が経過している（換言すると、タイマー部１４が計測した時間が既に所定時間に達している）ので、制御部１１は報知部１５を動作させて、報知部１５は第二の呼び出しパターンで報知を行う。それに併せて、制御部１１は、記憶部１３を参照し、Ｉ／Ｆ部１２が入力した動き検出信号に含まれている子機識別情報に関連付けて記憶されている端末識別情報を取得するとともに、制御信号を生成する。ここで、制御部１１が生成する制御信号は、呼び出しが第二の呼び出しであることを示す情報を含む。そして、Ｉ／Ｆ部１２は、制御部１１にて取得した端末識別情報により特定される任意の携帯通信端末２０へ制御部１１にて生成した制御信号を送信する。
【００４０】
携帯通信端末２０の端末用制御部２１は、ＣＰＵなどにより構成されており、携帯通信端末２０の各構成要素を後述するように制御する。無線通信部２２は、携帯通信端末２０がナースコール親機１０と通信するために無線基地局と無線により通信を行う。また、無線通信部２２は、ナースコール親機１０から送信された制御信号や復旧信号を受信する。また、無線通信部２２は、自装置が生成した復旧信号をナースコール親機１０へ送信する。
【００４１】
端末用報知部２３は、患者からの呼び出しを医療従事者に報知したり、ナースコール子機１のセンサ部５が患者に対して適切な位置からずれたことを医療従事者に報知したりするためのものである。また、端末用報知部２３は、スピーカやバイブレータ、表示ディスプレイなどにより構成されており、スピーカから呼び出し音や音声を出力したり、バイブレータを振動させたり、表示ディスプレイに呼び出し表示を行ったりして報知を行う。ただし、本実施形態では、医療従事者に対して確実に報知を把握させなければならないので、端末用報知部２３は、少なくとも呼び出し音や音声の出力またはバイブレータの振動により呼び出しを報知する必要がある。また、端末用報知部２３は、ナースコール親機１０の報知部１５と同様に、報知パターンを異ならせて第一の呼び出しおよび第二の呼び出しを区別して報知する。
【００４２】
端末用復旧操作部２４は、ボタンなどにより構成されており、呼び出しを行ったナースコール子機１を再び呼び出しを行うことができる状態に戻したり、ナースコール親機１０および携帯通信端末２０による報知を停止したりするために操作される。
【００４３】
端末用制御部２１は、無線通信部２２がナースコール親機１０から送信された制御信号を受信したか否かを判定する。無線通信部２２が制御信号を受信したと端末用制御部２１にて判断した場合に、端末用制御部２１は、受信した制御信号に第一の呼び出しであることを示す情報が含まれているか、受信した制御信号に第二の呼び出しであることを示す情報が含まれているかを判定する。
【００４４】
受信した制御信号に第一の呼び出しであることを示す情報が含まれていると端末用制御部２１にて判断した場合に、端末用制御部２１は端末用報知部２３を動作させ、端末用報知部２３は第一の呼び出しパターンで報知を行う。ここで、端末用制御部２１は受信した制御信号に含まれている子機識別情報を抽出し、端末用報知部２３は端末用制御部２１が抽出した子機識別情報により特定されるナースコール子機１にて患者が呼び出しを行ったことを報知する。端末用報知部２３にて第一の呼び出しパターンによる報知が行われると、端末用制御部２１は、無線通信部２２がナースコール親機１０から送信された復旧信号を受信したか、端末用復旧操作部２４が操作されたか、それ以外であるかを判定する。無線通信部２２がナースコール親機１０から送信された復旧信号を受信したと端末用制御部２１にて判断した場合に、端末用制御部２１は端末用報知部２３の動作を停止させる。また、端末用復旧操作部２４が操作されたと端末用制御部２１にて判断した場合に、端末用制御部２１は端末用報知部２３の動作を停止させるとともに、自装置の端末識別情報を含む復旧信号を生成する。無線通信部２２は、端末用制御部２１にて生成した復旧信号をナースコール親機１０へ送信する。
【００４５】
また、受信した制御信号に呼び出しが第二の呼び出しであることを示す情報が含まれていると端末用制御部２１にて判断した場合に、端末用制御部２１は端末用報知部２３を動作させ、端末用報知部２３は第二の呼び出しパターンで報知を行う。ここで、端末用制御部２１は受信した制御信号に含まれている子機識別情報を抽出し、端末用報知部２３は端末用制御部２１が抽出した子機識別情報により特定されるナースコール子機１のセンサ部５が患者に対して適切な位置からずれたことを報知する。端末用報知部２３にて第二の呼び出しパターンによる報知が行われると、端末用制御部２１は、無線通信部２２がナースコール親機１０から送信された復旧信号を受信したか、端末用復旧操作部２４が操作されたか、それ以外であるかを判定する。無線通信部２２がナースコール親機１０から送信された復旧信号を受信したと端末用制御部２１にて判断した場合に、端末用制御部２１は端末用報知部２３の動作を停止させる。また、端末用復旧操作部２４が操作されたと端末用制御部２１にて判断した場合に、端末用制御部２１は端末用報知部２３の動作を停止させるとともに、自装置の端末識別情報を含む復旧信号を生成する。無線通信部２２は、端末用制御部２１にて生成した復旧信号をナースコール親機１０へ送信する。
【００４６】
上述した（１）の処理によって報知部１５にて第一の呼び出しパターンによる報知が行われた場合、または、上述した（５）の処理によって報知部１５にて第二の呼び出しパターンによる報知が行われた場合、制御部１１は、Ｉ／Ｆ部１２が携帯通信端末２０から送信された復旧信号を受信したか、復旧操作部１６が操作されたか、それ以外であるかを判定する。ここで、上述した（４）の処理によってもＩ／Ｆ部１２が復旧信号を受信するが、ナースコール子機１よびナースコール親機１０は既に復旧されているため、子機用制御部４および制御部１１はそれを無視する。Ｉ／Ｆ部１２が復旧信号を受信したと制御部１１にて判断した場合に、制御部１１は報知部１５の動作を停止させ、復旧信号に含まれる端末識別情報を抽出する。また、制御部１１は、記憶部１３に記憶されている端末識別情報のうち、抽出した端末識別情報以外の端末識別情報を取得する。そして、Ｉ／Ｆ部１２は、呼出信号を出力したナースコール子機１へ復旧信号を出力するとともに、制御部１１にて取得した端末識別情報により特定される携帯通信端末２０へ復旧信号を送信する。また、復旧操作部１６が操作されたと制御部１１にて判断した場合に、制御部１１は、報知部１５の動作を停止させるとともに復旧信号を生成する。それに併せて、制御部１１は、記憶部１３に記憶されている端末識別情報を取得する。そして、Ｉ／Ｆ部１２は、呼出信号を出力したナースコール子機１へ復旧信号を出力するとともに、制御部１１にて取得した端末識別情報により特定される携帯通信端末２０へ制御部１１にて生成した復旧信号を送信する。
【００４７】
以上、詳しく説明したように、本実施形態のナースコールシステムでは、医療従事者を呼び出すための患者の動作を検出するセンサ部５とそのセンサ部５が動いた際に生じる加速度を検出する加速度センサ６とをナースコール子機１に設け、ナースコール子機１のセッティングを行った医療従事者を登録するための登録装置３をそのナースコール子機１の近傍に設置する。登録装置３にて医療従事者が登録された時点から所定時間が経過するまでに、その登録装置３の近傍に設置されているナースコール子機１の加速度センサ６が所定の加速度以上の加速度を検出した場合に、登録装置３にて登録された医療従事者が携行している携帯通信端末２０を呼び出し、登録装置３にて医療従事者が登録された時点から所定時間が経過した後に、その登録装置３の近傍に設置されているナースコール子機１の加速度センサ６が所定の加速度以上の加速度を検出した場合に、そのナースコール子機１の呼び出しに応答すべき任意の携帯通信端末２０を呼び出すようにしている。
【００４８】
これにより、登録装置３にて医療従事者が登録された時点から所定時間が経過するまでに、センサ部５が動いた際に生じる加速度を加速度センサ６にて検出した場合には、セッティングを担当した医療従事者が患者とセンサ部５との間に殆どゆとりを持たせずにナースコール子機１をセッティングしてしまい、患者が自身の体の一部を少し動かしただけで患者の体の一部がセンサ部５にぶつかってセンサ部５が動いたものであると判断されるので、ナースコール子機１のセッティング不良によりセンサ部５が動いたものと判断されて、ナースコール子機１のセッティングを行った医療従事者が携行している携帯通信端末２０が呼び出されれる。このことから、ナースコール子機１がセッティング不良であった場合に、できるだけそのナースコール子機１をセッティングした医療従事者のみを呼び出すようにすることができる。一方、登録装置３にて医療従事者識別情報が登録された時点から所定時間が経過してから、センサ部５が動いた際に生じる加速度を加速度センサ６にて検出した場合には、ナースコール子機１が適切な位置にセッティングされていたにも関わらず、患者などがセンサ部５にぶつかってセンサ部５の位置がずれたものであると判断されるので、携帯通信端末２０を携行している医療従事者のうち、任意の医療従事者が携行している携帯通信端末２０が呼び出される。これにより、ナースコール子機１が適切な位置にセッティングされている場合に、任意の医療従事者を呼び出すようにすることができる。
【００４９】
なお、前述した実施形態では、患者の体の一部がセンサ部５にぶつかった勢いでセンサ部５が動いたことを検出するために、動きセンサ部として加速度センサ６が使用されているが、これに限定されない。例えば、患者の体の一部がセンサ部５にぶつかった勢いでセンサ部５が動いたことを検出するために、動きセンサ部として衝撃センサを使用するようにしても良い。ここで、衝撃センサがセンサ部５に生じる衝撃を検出した場合に、センサ部５が動くものとする。
【００５０】
また、前述した実施形態では、ＩＣタグ２は、携帯通信端末２０の筐体と別体で設けられているが、これに限定されない。例えば、ＩＣタグ２が携帯通信端末２０の筐体に内蔵されるようにしても良い。
【００５１】
また、前述した実施形態では、登録装置３は、医療従事者がＩＣタグ２をかざした際にＩＣタグ２を読み取っているが、これに限定されない。例えば、医療従事者の手首などにＩＣタグ２を取り付け、医療従事者がナースコール子機１のセッティングを完了した際に操作する完了ボタンが操作された場合に、登録装置３がＩＣタグ２を読み取るようにしても良い。
【００５２】
また、前述した実施形態では、制御部１１は、登録装置３から出力された登録装置識別情報とナースコール子機１から出力された動き検出信号に含まれる子機識別情報に関連付けて記憶部１３に記憶されている登録装置識別情報とが一致したか否かを判定しているが、これに限定されない。例えば、登録装置３から出力された登録装置識別情報に関連付けて記憶部１３に記憶されている子機識別情報とナースコール子機１から出力された動き検出信号に含まれる子機識別情報とが一致したか否かを制御部１１にて判定するようにしても良い。
【００５３】
また、前述した実施形態では、タイマー部１４にて計測した時間が予め設定しておいた所定時間に達するまでに、センサ部５が動いた際に生じる加速度を加速度センサ６にて検出した場合、または、タイマー部１４にて計測した時間が予め設定しておいた所定時間に達した場合に、制御部１１はタイマー部１４の動作を停止させているが、これに限定されない。例えば、タイマー部１４にて計測した時間が予め設定しておいた所定時間に達するまでに、センサ部５が動いた際に生じる加速度を加速度センサ６にて検出した場合やタイマー部１４にて計測した時間が予め設定しておいた所定時間に達した場合でも、制御部１１がタイマー部１４の動作を継続して動作させるようにしても良い。この場合、Ｉ／Ｆ部１２が登録装置３から出力された登録装置識別情報および医療従事者識別情報を入力した際にタイマー部１４が既に時間を計測していれば、制御部１１は、タイマー部１４が計測した時間をリセットする。
【００５４】
その他、ナースコールシステムの構成、処理手順、内容等についても、この発明の要旨を逸脱しない範囲で種々変形して実施することができる。また、上記実施形態に開示されている複数の構成要素の組み合わせにより種々の発明を形成することができる。例えば、実施形態に示される全構成要素からいくつかの構成要素を削除するようにしても良い。さらに、異なる実施形態に亘る構成要素を適宜組み合わせるようにしても良い。
【符号の説明】
【００５５】
１    ナースコール子機
２    ＩＣタグ
３    登録装置
４    子機用制御部
５    センサ部
６    加速度センサ
７    子機用インターフェース（Ｉ／Ｆ）部
１０    ナースコール親機
１１    制御部
１２    インターフェース（Ｉ／Ｆ）部
１３    記憶部
１４    タイマー部
１５    報知部
１６    復旧操作部
２０    携帯通信端末
２１    端末用制御部
２２    無線通信部
２３    端末用報知部
２４    端末用復旧操作部
【図１】
2012050470.tif 000003
【図２】
2012050470.tif 000004